(57)【要約】【課題】    ディスクを広告媒体として活用し得る情報記録方法、情報記録プログラム、情報記録媒体及び情報記録システムを提供する。【課題を解決するための手段】  持ち運び可能な電子記録媒体に、複数のコンテンツ情報及び複数の広告情報を含む特定情報を記録することにより、１枚のディスク３内に複数のコンテンツ情報とともに、複数の広告主に関する多種多様な広告情報を記録することができ、したがってディスク３を広告媒体として積極的に活用することが可能となる。【選択図】  図１
2005208149.tif 000002
【特許請求の範囲】
【請求項１】
持ち運び可能な電子記録媒体に、複数のコンテンツ情報及び複数の広告情報を含む特定情報を記録することを特徴とする情報記録方法。
【請求項２】
請求項１に記載の情報記録方法において、前記特定情報は、前記コンテンツ情報と広告情報とが時系列的に交互に配列されていることを特徴とする情報記録方法。
【請求項３】
請求項１又は２に記載の情報記録方法において、前記広告情報は、当該広告情報の広告主への連絡先情報を含むことを特徴とする情報記録方法。
【請求項４】
請求項１から３のいずれか一項に記載の情報記録方法において、前記広告情報のうち、再生時における時間的に最後尾に位置する広告情報は、当該記憶媒体に記録された全ての広告主への連絡先情報を含むことを特徴とする情報記録方法。
【請求項５】
請求項１から４のいずれか一項に記載の情報記録方法において、前記広告情報は、再生時の表示画面上において個々に概略情報が割当てられた複数の領域に分割して表示され、前記領域部分をクリックすることにより当該領域の広告情報の詳細情報が連絡先に情報と共に表示画面の全面に亘って拡大表示され、前記連絡先情報部分をクリックすることにより、当該領域の広告主の連絡先への通信接続を確立させる情報を含むことを特徴とする情報記録方法。
【請求項６】
請求項１から５のいずれか一項に記載の情報記録方法において、前記連絡先情報は、当該広告情報の広告主のウエブサイトに通信接続可能なホームページ情報であることを特徴とする情報記録方法。
【請求項７】
請求項１から６のいずれか一項に記載の情報記録方法において、前記連絡先情報は、当該広告情報の広告主のウエブサイトに通信接続可能なホームページのバーコード表示情報であって、携帯情報端末機器に設けられたバーコードリーダにより読み取り可能な情報であることを特徴とする情報記録方法。
【請求項８】
請求項１から７のいずれか一項に記載の情報記録方法において、前記コンテンツ情報は、画像情報及び当該画像情報に付帯する音楽情報であることを  特徴とする情報記録方法。
【請求項９】
請求項１から８のいずれか一項に記載の情報記録方法において、前記広告情報の記録領域に、当該広告情報の再生時における操作ボタンの操作に伴う入力信号が無効となるように設定を施すことを特徴とする情報記録方法。
【請求項１０】
コンピュータに
複数のコンテンツ情報及び複数の広告情報を含む特定情報を持ち運び可能な電子記録媒体に記録する機能を実現させることを特徴とする情報記録プログラム。
【請求項１１】
コンピュータを、複数のコンテンツ情報及び複数の広告情報を含む特定情報を持ち運び可能な電子記録媒体に記録させる手段として機能させる情報記録プログラムが記憶されたことを特徴とする情報記録媒体。
【請求項１２】
複数のコンテンツ情報及び複数の広告情報を入力するための入力手段と、
前記複数のコンテンツ情報及び複数の広告情報を含む特定情報を記録するための制御手段と、
前記制御手段からの制御命令に基づいて、前記複数のコンテンツ及び複数の広告情報を含む特定情報を持ち運び可能な電子記録媒体に記録する記録手段と、
を備えたことを特徴とする情報記録システム。
【発明の詳細な説明】
【技術分野】
【０００１】
本発明は、持ち運び可能な電子記録媒体への情報記録方法、情報記録プログラム、情報記録媒体及び情報記録システム関する。
【背景技術】
【０００２】
今日では、画像、音楽、各種案内情報等のコンテンツ情報が記録されたＤＶＤやＣＤ−Ｒ等の円盤状記録媒体（以下、ディスクという）が販売され、又は無料で提供されている。
【０００３】
このようなディスクへの記録方式として、ディスクの内周・外周にリードイン・ゾーン及びリードアウト・ゾーンが各々設けられると共に、この内外の中間部分プログラム領域が設けられ、このプログラム領域に情報内容が記載されると共に、この情報内容のディレクトリ（又はTable Of Contents；TOC）をリードイン・ゾーンに記録している。この情報内容には、前記コンテンツ情報と共に、このコンテンツ情報を提供する広告情報が含まれている。
【０００４】
前記広告情報と共にコンテンツ情報を提供する従来の技術としては、特開平１０−３２０３３６号公報、特開２００１−３１２６５２号公報、特開２００２−３３４２６６号公報等に開示されているものがある。
【特許文献１】特開平１０−３２０３３６号公報
【特許文献２】特開２００１−３１２６５２号公報
【特許文献３】特開２００２−３３４２６６号公報等
【発明の開示】
【発明が解決しようとする課題】
【０００５】
これらのディスクの経済的価値は主にディスク内に記録されたコンテンツ情報にあるため、そのコンテンツ情報を製作した企業等の広告情報はそのコンテンツ情報の出典元を明らかにする目的で記録されていることが多い。
【０００６】
したがって、一般に、１枚のディスクには、複数の製品情報が紹介されているとしても、１つの企業広告情報（又はグループ企業名の一覧表示情報）が記録されている場合が多い。
従来、１枚のディスク内に複数のコンテンツ情報と複数の広告情報を記録し、ディスクを積極的な広告媒体として活用し得る情報記録方法については見当たらない。
【０００７】
本発明の課題は、ディスクを広告媒体として活用し得る情報記録方法、情報記録プログラム、情報記録媒体及び情報記録システムを提供することにある。
【課題を解決するための手段】
【０００８】
請求項１に記載の情報記録方法の発明は、持ち運び可能な電子記録媒体に、複数のコンテンツ情報及び複数の広告情報を含む特定情報を記録することを特徴とする。
【０００９】
請求項２に記載の情報記録方法の発明は、請求項１に記載の情報記録方法において、前記特定情報は前記コンテンツ情報と広告情報とが時系列的に交互に配列されてなることを特徴とする。
【００１０】
請求項３に記載の情報記録方法の発明は、請求項１又は２に記載の情報記録方法において、前記広告情報が当該広告情報の広告主への連絡先情報を含むことを特徴とする。
【００１１】
請求項４に記載の情報記録方法の発明は、請求項１から３のいずれか一項に記載の情報記録方法において、前記広告情報のうち、再生時における時間的に最後尾に位置する広告情報は、当該記憶媒体に記録された全ての広告主への連絡先情報を含むことを特徴とする。
【００１２】
請求項５に記載の情報記録方法発明は、請求項１から４のいずれか一項に記載の情報記録方法において、前記広告情報は、再生時の表示画面上において個々に概略情報が割当てられた複数の領域に分割して表示され、前記領域部分をクリックすることにより当該領域の広告情報の詳細情報が連絡先に情報と共に表示画面の全面に亘って拡大表示され、前記連絡先情報部分をクリックすることにより、当該領域の広告主の連絡先への通信接続を確立させる情報を含むことを特徴とする。
【００１３】
請求項６に記載の情報記録方法発明は、請求項１から４のいずれか一項に記載の情報記録方法において、前記連絡先情報は、当該広告情報の広告主のウエブサイトに通信接続可能なホームページ情報であることを特徴とする。
【００１４】
請求項７に記載の情報記録方法の発明は、請求項１から５のいずれか一項に記載の情報記録方法において、前記連絡先情報は、当該広告情報の広告主のウエブサイトに通信接続可能なホームページのバーコード表示情報であって、携帯情報端末機器に設けられたバーコードリーダにより読み取り可能な情報であることを特徴とする。
【００１５】
請求項８に記載の情報記録方法の発明は、請求項１から６のいずれか一項に記載の情報記録方法において、前記コンテンツ情報は、画像情報及び当該画像情報に付帯する音楽情報であることを特徴とする。
【００１６】
請求項９に記載の情報記録方法の発明は、請求項１から７のいずれか一項に記載の情報記録方法において、前記広告情報の記録領域に、当該広告情報の再生時における操作ボタンの操作に伴う入力信号が無効となるように設定を施すことを特徴とする。
【００１７】
請求項１０に記載の情報記録プログラムの発明は、コンピュータに、複数のコンテンツ情報及び複数の広告情報を含む特定情報を持ち運び可能な電子記録媒体に記録する機能を実現させることを特徴とする。
【００１８】
請求項１１に記載の情報記録媒体の発明は、コンピュータを、複数のコンテンツ情報及び複数の広告情報を含む特定情報を持ち運び可能な電子記録媒体に記録させる手段として機能させる情報記録プログラムが記憶されたことを特徴とする。
【００１９】
請求項１２に記載の情報記録システムの発明は、複数のコンテンツ情報及び複数の広告情報を入力するための入力手段と、前記複数のコンテンツ情報及び複数の広告情報を含む特定情報を記録するための制御手段と、前記制御手段からの制御命令に基づいて、前記複数のコンテンツ及び複数の広告情報を含む特定情報を持ち運び可能な電子記録媒体に記録する記録手段と、を備えたことを特徴とする。
【発明の効果】
【００２０】
請求項１に記載の情報記録方法の発明によれば、持ち運び可能な電子記録媒体に、複数のコンテンツ情報及び複数の広告情報を含む特定情報を記録することにより、１枚のディスク内に複数のコンテンツ情報とともに、複数の広告主に関する多種多様な広告情報を記録することができ、したがってディスクを広告媒体として積極的に活用することが可能となる。
【００２１】
請求項２に記載の情報記録方法によれば、特定情報を前記コンテンツ情報と広告情報とを時系列的に交互に配列して構成したことにより、画一的な再生を防止し、多様な表現形態での再生を可能とする。
【００２２】
請求項３に記載の情報記録方法の発明によれば、前記広告情報が当該広告情報の広告主への連絡先情報を含むことにより、広告主へのアクセスが簡便化される。
【００２３】
請求項４に記載の情報記録方法の発明によれば、前記広告情報のうち、最盛時における時間的に最後尾に位置する広告情報が当該記憶媒体に記録された全ての広告主への連絡先情報を含むことにより、再生途中での広告主へのアクセス忘れが生じたとき該当広告セクタ個所にまで遡ってアクセスする手間を省くことができる。
【００２４】
請求項５に記載の情報記録方法発明によれば、分割領域をクリックすることにより拡大表示による詳細情報を表示することができ、さらに詳細な情報を得る場合には、詳細情報に含まれる連絡先情報をクリックすることで通信の確立が可能となり、簡単な操作でより詳しい広告内容を得ることができる。
【００２５】
請求項６に記載の情報記録方法発明によれば、前記連絡先情報を当該広告情報の広告主のウエブサイトに通信接続可能なホームページ情報としたことにより、公衆通信回線を介して間単位広告主にアクセスすることが可能となる。
【００２６】
請求項７に記載の情報記録方法の発明によれば、前記連絡先情報を当該広告情報の広告主のウエブサイトに通信接続可能なホームページのバーコード表示情報であって、携帯情報端末機器に設けられたバーコードリーダにより読み取り可能な情報としたことにより、携帯電話等の携帯情報端末機器を利用して容易に広告主にアクセスすることが可能となる。また、アクセスのための入力作業を簡便にすることができる。
【００２７】
請求項８に記載の情報記録方法の発明によれば、前記コンテンツ情報は、画像情報及び当該画像情報に付帯する音楽情報であることにより、より消費者のニーズに適合する情報を提供することが可能となる。
【００２８】
請求項９に記載の情報記録方法の発明によれば、前記広告情報の記録領域に、当該広告情報の再生時における操作ボタンの操作に伴う入力信号が無効となるように設定を施すことにより、各コンテンツ情報相互間に介在される広告情報の聴視の省略（読み飛ばし）を防止することができる。
【００２９】
請求項１０に記載の情報記録プログラムの発明によれば、コンピュータに、複数のコンテンツ情報及び複数の広告情報を含む特定情報を持ち運び可能な電子記録媒体に記録する機能を実現させることにより、１枚のディスク内に複数のコンテンツ情報とともに、複数の広告主に関する多種多様な広告情報を記録することができ、したがってディスクを広告媒体として積極的に活用することが可能となる。
【００３０】
請求項１１に記載の情報記録媒体の発明によれば、コンピュータを、複数のコンテンツ情報及び複数の広告情報を含む特定情報を持ち運び可能な電子記録媒体に記録させる手段として機能させる情報記録プログラムが記憶されたことにより、１枚のディスク内に複数のコンテンツ情報とともに、複数の広告主に関する多種多様な広告情報を記録することができ、ディスクを広告媒体として積極的に活用することが可能となる。
【００３１】
請求項１２に記載の情報記録システムの発明によれば、複数のコンテンツ情報及び複数の広告情報を入力するための入力手段と、前記複数のコンテンツ情報及び複数の広告情報を含む特定情報を記録するための制御手段と、前記制御手段からの制御命令に基づいて、前記複数のコンテンツ及び複数の広告情報を含む特定情報を持ち運び可能な電子記録媒体に記録する記録手段と、を備えたことにより、１枚のディスク内に複数のコンテンツ情報とともに、複数の広告主に関する多種多様な広告情報を記録することが可能な記録システムを構築することができ、ディスクを広告媒体として積極的に活用することが可能となる。
【発明を実施するための最良の形態】
【００３２】
以下、本発明を実施するための最良の実施形態を図面に基づいて詳述する。
〔情報記録装置の構成〕
図１に、本発明に係る情報記録装置の概要を示す。
図１に示すように、情報記録装置１は、入力手段２を介して入力される記録情報を所定のフォーマットで持ち運び可能な電子記録媒体としてのディスク（例えば、ＤＶＤ等）３に記録する。
【００３３】
図２に、情報記録装置１の構成例を示す。
図２に示すように、情報記録装置１は、ＣＰＵ５と、ＲＯＭ６と、ＲＡＭ７と、外部記録装置８と、通信手段９と、表示手段１０と、音声出力手段１１書込み手段１２とを備え、これらはバス１３により接続されている。
ＣＰＵ５は、ＲＯＭ６内に圧縮状態で格納されているプログラムを解凍してＲＡＭ７のワークエリアに展開し、このＲＡＭ７に展開されたプログラムとの協働により、本発明に係る情報記録方法を実行する。
ＲＯＭ６内に格納されているプログラムには、この情報記録装置１を動作させるための基本プログラム、本発明に係る情報記録プログラム１４の他、各部とのデータのやり取りを制御する制御プログラム等が含まれている。
ＲＡＭ７としては、ＤＲＡＭ、ＳＲＡＭ等の高速メモリが用いられる。
外部記録装置８は、ハードディスクメモリ等の不揮発性の大容量メモリで構成される。
【００３４】
通信手段９は、Ｗｅｂネットワーク等の公衆通信回線やＬＡＮ等の通信回線を介して所定の情報配信サイト或いはサーバ等の管理装置との間で必要な情報をダウンロードまたはアップロードするためのものである。
入力手段２は、キーボード、スキャナー等の画像読み取り装置、ＯＣＲ等の文字読取装置等が用いられ、本発明に係る記録情報の入力、読み込みを行う。
表示手段１０は、ＣＲＴ、液晶又はプラズマ等のディスプレイ装置であり、記録すべき情報のモニターや記録した情報を表示してその内容の確認に供される。
【００３５】
書込み手段１１は、最終的にディスク３に情報を記録するライターである。最終的という意味は、必ずしも情報をマスターディスクとしてのＤＶＤ−Ｒ(for authoringタイプ)に直接記録する場合だけではなく、一旦、テープメディアＤＬＴ(Digital Linear Tape)に記録した後、最終的にマスターディスクを作製する場合も含む意味である。
【００３６】
次に、記録すべき情報について説明する。
図３に、本発明に係る情報の記録例を示す。図３に示す例は、ディスク３内に、広告情報ＣＭ１〜ＣＭｎとコンテンツ情報Ａ〜Ｎを時系列的に交互に配置し、データ列の最後尾に広告主一覧情報ＣＭendを配置した例である。
【００３７】
広告情報ＣＭ１〜ＣＭｎは、静止画データ、動画データ、テキストデータ（文章データ）等のいずれか若しくはそれらの組み合わせからなる。また、画像データのみならず、音声や音楽データを含む。
【００３８】
この広告情報ＣＭ１〜ＣＭｎのそれぞれには、広告主への連絡情報として、広告主のホームページＨＰが掲載される。ホームページＨＰの表示形式は、アドレスを直接表記するか或はバーコード表示を採用する。バーコード表示は、１次元或は２次元バーコードを用いる。この場合、バーコードは、携帯情報端末（携帯電話、ＰＤＡ等）に設けられたバーコードリーダによって読取可能な形態であることが好ましい。
【００３９】
このようにすることによって、ホームページＨＰのアドレスを手入力で入力することなく、読取りと同時にホームページＨＰにアクセスすることができる。
なお、広告主が同一であるか否かは問わない。更に、広告主と後述するコンテンツ情報Ａ〜Ｎとの間に関連性をもたせるか否かは任意である。
【００４０】
コンテンツ情報Ａ〜Ｎも、広告情報ＣＭ１〜ＣＭｎと同様に、静止画データ、動画データ、テキストデータ（文章データ）等のいずれか若しくはそれらの組み合わせからなり、画像データのみならず、音声や音楽データを含む。具体的には、音楽やドラマ等のエンターテインメントソフト、ドキュメンタリー番組ソフト、教育用ソフト、教材ソフト、通信販売の説明用ソフト、プレゼンテーション用ソフト等の視聴者の趣向に合わせたプログラムであってよい。
【００４１】
広告主一覧情報ＣＭendは、ディスク３内に記録された広告情報ＣＭ１〜ＣＭｎに関する全ての広告主への連絡情報として、各広告主のホームページＨＰが例えばリスト形式等で一覧表示される。この広告主一覧情報ＣＭendを記録することにより、最終的にディスク３の視聴を終了する段階で、視聴者が印象に残った興味ある広告の内容の再確認をすることができる。
【００４２】
次に、情報の記録方法について説明する。
図５に、記録装置１を用いて本発明に係る特定情報を記録する手順を示す。図５において、予め用意された広告情報ＣＭ１〜ＣＭｎ及び広告主一覧情報ＣＭendのデータが入力手段２からの入力又は通信手段９からの受信によって読み込まれる（ステップＳ１）。
同様に、コンテンツ情報Ａ〜Ｎのデータが読み込まれる（ステップＳ２）。
図示しないが、これらの読込まれたデータは、ＲＡＭ７内のバッファエリアに一時的に格納され、必要に応じて読み出され記録処理に供される。
次いで、広告情報ＣＭ１〜ＣＭｎ及び広告主一覧情報ＣＭendのデータに、ボタン操作無効フラグが付加される（ステップＳ３）。
【００４３】
このボタン操作無効フラグは、広告情報ＣＭ１〜ＣＭｎ及び広告主一覧情報ＣＭendの再生時において、早送り、巻き戻し等の走査を行ってもそれらの機能を無効とするためのものである。したがって、広告情報ＣＭ１〜ＣＭｎ及び広告主一覧情報ＣＭendは強制的に再生されることになる。
【００４４】
以上の処理が終了した段階で、各広告情報ＣＭ１〜ＣＭｎ、広告主一覧情報ＣＭend及びコンテンツ情報Ａ〜Ｎについてデータの配列処理が順次行われ（ステップＳ４）、読み込まれた各広告情報ＣＭ１〜ＣＭｎ、広告主一覧情報ＣＭend及びコンテンツ情報Ａ〜Ｎの全ての処理が終了した段階で（ステップＳ４：ＹＥＳ）、記録すべきデータが生成される。
次いで、生成された記録データは、書き込み手段１２によりマスターメディアに書き込まれる（ステップＳ６）。
【００４５】
以上の過程において、図示しないが、画像は表示手段１０により、また音声は音声出力手段１１により、自動的にあるいは必要に応じて任意にモニターされる。
なお、生成されたマスターメディアを用いてプレスによりディスクを量産することができるが、その量産方法は特に限定されるものでははなく任意である。
また、以上の説明では、持ち運び可能な電子記録媒体としてディスクを例にしたが、これに限定されることなく、例えば、各種小型メモリーカードを使用することが可能である。
【００４６】
更にまた、マスターメディアの生成に際して、ステップＳ４〜Ｓ６の手順により各広告情報ＣＭ１〜ＣＭｎ、広告主一覧情報ＣＭend及びコンテンツ情報Ａ〜Ｎを交互配列のデータ（図３参照）を記録するようにしたが、この態様には限定されない。例えば、図６に示すように、コンテンツ情報Ａ〜Ｎ、各広告情報ＣＭ１〜ＣＭｎ及び広告主一覧情報ＣＭendをそれぞれまとめてマスターメディアに記録しておき、オーサリング（編集）時に、各情報ブロックごとに自由に並び替えるようにしても良い。このようにすることにより、同じコンテンツ情報Ａ〜Ｎに対して異なる広告情報を組み合わせることが可能となり、コンテンツ情報Ａ〜Ｎを繰り返し用いることができるので、コストの低下が可能となる。
【００４７】
また、以上の説明では、各広告情報ＣＭ１〜ＣＭendを一つの表示画面上に表示する構成としたが、かかる態様には限定されない。例えば、図７に示すように、一つの表示画面を複数の領域に分割して各領域に複数の広告情報（図７では、ＣＭ１、ＣＭ２、ＣＭ３）の概要情報を割当てる。そして、必要に応じて各ＣＭ１〜ＣＭ３が属する地域の地図ＭＰを表示するようにする。各領域はマウスクリックにより、図示するように拡大表示させることとし、その拡大表示情報内に連絡先情報としてホームページのアドレスＨＰを表示させる。このアドレスＨＰをマウスクリックすることにより、自動的に対応する広告主のＷｅｂサイトへの通信接続が確立されるようにすることができる。なお、地図ＭＰ部分をマウスクリックすることにより、詳細地図を拡大表示するようになっている。
【００４８】
図８に、本発明により生成されたディスク３の再生装置としてのパソコンＰＣ１、ＰＣ２・・・と各広告主のＷｅｂサイトＣ１、Ｃ２・・・の接続例を示す。図８に示すように、ユーザのパソコンＰＣ１において、上述のようにアドレスＨＰをクリックすることにより、通信回線（インターネット等）ＮＥＴ及び管理サーバＳを経由してＣＭ１のＷｅｂサイトＣ１にアクセスされ、通信接続が確立し、それ以後ＰＣ１とＣ１との間で必要な情報の送受信が行われることになる。
【図面の簡単な説明】
【００４９】
【図１】本発明に係る情報記録装置の概要を示すブロック図である。
【図２】本発明に係る情報記録装置の構成例を示すブロック図である。
【図３】本発明に係る記録情報のフォーマット例を示す説明図である。
【図４】本発明に係る広告情報の表示例を示す説明図である。
【図５】本発明に係る情報記録方法の手順例を示すフローチャートである。
【図６】マスターメディアへの記録フォーマットの他の例を示す説明図である。
【図７】本発明の変形例を示す説明図である。
【図８】生成装置と広告主のＷｅｂサイトとの通信接続関係を示す説明図である。
【符号の説明】
【００５０】
１      記録装置
２      入力手段
３      ディスク
４      記録制御プログラム
５      ＣＰＵ
６      ＲＯＭ
７      ＲＡＭ
８      外部記憶装置
９      通信手段
１０    表示手段
１１    音声出力手段
１２    書き込み手段
１３    バス
ＣＭ１〜ＣＭｎ    広告情報
ＣＭend      広告主一覧情報
Ａ〜Ｎ      コンテンツ情報
【図１】
2005208149.tif 000003
【図２】
2005208149.tif 000004
【図３】
2005208149.tif 000005
【図４】
2005208149.tif 000006
【図５】
2005208149.tif 000007
【図６】
2005208149.tif 000008
【図７】
2005208149.tif 000009
【図８】
2005208149.tif 000010